(57)【要約】  本願は、ユーザーインターフェース表示方法、装置及びデバイスを開示し、ヒューマンマシンインタラクションの分野に関する。前記方法は、スライド信号を受信することと、前記スライド信号の画面でのスライドに基づいて、コールアウトユーザーインターフェースが表示され、前記コールアウトユーザーインターフェースが第１の表示領域及び第２の表示領域を含み、前記スライド信号のスライド方向が第１の方向である場合、前記第１の表示領域における前記第１のサブコンテンツを前記第２の表示コンテンツの第３のサブコンテンツに置き換え、前記スライド信号のスライド方向が第２の方向である場合、前記第２の表示領域における前記第４のサブコンテンツを前記第１の表示領域の第２のサブコンテンツに置き換えることとを含む。本願は、プルダウンユーザーインターフェースの表示領域が限られ、表示可能な制御アイテムや通知メッセージが少ないという問題を解決することができる。
2021510878.tif 000002
【特許請求の範囲】
【請求項１】
スライド信号を受信することと、
前記スライド信号の画面でのスライドに基づいて、コールアウトユーザーインターフェースが表示され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示されることと、
前記スライド信号のスライド方向が第１の方向である場合、前記第１の表示領域における前記第１のサブコンテンツを前記第２の表示コンテンツの第３のサブコンテンツに置き換え、前記第２の表示コンテンツが前記第３のサブコンテンツ及び前記第４のサブコンテンツを含むことと、
前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含むこととを含む
ことを特徴とするユーザーインターフェース表示方法。
【請求項２】
前記スライド信号の初期スライド方向が予め設定された方向であり、
前記スライド信号のスライド方向が第１の方向である場合、前記第１の表示領域における前記第１のサブコンテンツを前記第２の表示コンテンツの第３のサブコンテンツに置き換えることは、
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることと、
前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含むことと、
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることとを含む
ことを特徴とする請求項１に記載のユーザーインターフェース表示方法。
【請求項３】
前記スライド信号に基づいて画面でコールアウトユーザーインターフェースが表示されることは、
前記スライド信号の前記予め設定された方向へのスライドに基づいて、前記画面に前記コールアウトユーザーインターフェースが表示されることを含む
ことを特徴とする請求項２に記載のユーザーインターフェース表示方法。
【請求項４】
前記第１の表示領域における前記第１のサブコンテンツを前記第２の表示コンテンツの第３のサブコンテンツに置き換えることは、
前記スライド信号の前記第１の方向へのスライドに基づいて、前記第１のサブコンテンツの表示を前記第１の表示領域に徐々に解除し、前記第３のサブコンテンツを前記第１の表示領域に徐々に表示することを含み、
前記第２の表示領域における前記第４のサブコンテンツを前記第１の表示コンテンツの第２のサブコンテンツに置き換えることは、
前記スライド信号の前記第２の方向へのスライドに基づいて、前記第４のサブコンテンツの表示を前記第２の表示領域に徐々に解除し、前記第２のサブコンテンツを前記第２の表示領域に徐々に表示することを含む
ことを特徴とする請求項１〜３のいずれか１項に記載のユーザーインターフェース表示方法。
【請求項５】
前記第１の表示領域が前記コールアウトユーザーインターフェースの左半分の表示領域を含み、前記第１のサブコンテンツが前記第１の表示コンテンツの左半分のコンテンツを含み、前記第３のサブコンテンツが前記第２の表示コンテンツの左半分のコンテンツを含み、
前記第２の表示領域が前記コールアウトユーザーインターフェースの右半分の表示領域を含み、前記第２のサブコンテンツが前記第２の表示コンテンツの右半分のコンテンツを含み、前記第４のサブコンテンツが前記第２の表示コンテンツの右半分のコンテンツを含む
ことを特徴とする請求項２に記載のユーザーインターフェース表示方法。
【請求項６】
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることは、
前記スライド信号のスライド方向が下方向から左方向に変更される場合、前記第１の表示領域における前記第１のサブコンテンツを前記第２の表示コンテンツの第３のサブコンテンツに置き換えること、
又は、
前記スライド信号のスライド方向が下方向から右方向に変更される場合、前記第１の表示領域における前記第１のサブコンテンツを前記第２の表示コンテンツの第３のサブコンテンツに置き換えること、
又は、
前記スライド信号のスライド方向が上方向から左方向に変更される場合、前記第１の表示領域における前記第１のサブコンテンツを前記第２の表示コンテンツの第３のサブコンテンツに置き換えること、
又は、
前記スライド信号のスライド方向が上方向から右方向に変更される場合、前記第１の表示領域における前記第１のサブコンテンツを前記第２の表示コンテンツの第３のサブコンテンツに置き換えることを含む
ことを特徴とする請求項５に記載のユーザーインターフェース表示方法。
【請求項７】
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることは、
前記スライド信号のスライド方向が下方向から右方向に変更される場合、前記第２の表示領域における前記第４のサブコンテンツを前記第１の表示コンテンツの第２のサブコンテンツに置き換えること、
又は、
前記スライド信号のスライド方向が下方向から左方向に変更される場合、前記第２の表示領域における前記第４のサブコンテンツを前記第１の表示コンテンツの第２のサブコンテンツに置き換えること、
又は、
前記スライド信号のスライド方向が上方向から右方向に変更される場合、前記第２の表示領域における前記第４のサブコンテンツを前記第１の表示コンテンツの第２のサブコンテンツに置き換えること、
又は、
前記スライド信号のスライド方向が上方向から左方向に変更される場合、前記第２の表示領域における前記第４のサブコンテンツを前記第１の表示コンテンツの第２のサブコンテンツに置き換えることを含む
ことを特徴とする請求項５に記載のユーザーインターフェース表示方法。
【請求項８】
前記第１の表示領域が前記コールアウトユーザーインターフェースの上半分の表示領域を含み、前記第１のサブコンテンツが前記第１の表示コンテンツの上半分のコンテンツを含み、前記第３のサブコンテンツが前記第２の表示コンテンツの上半分のコンテンツを含み、
前記第２の表示領域が前記コールアウトユーザーインターフェースの下半分の表示領域を含み、前記第２のサブコンテンツが前記第２の表示コンテンツの下半分のコンテンツを含み、前記第４のサブコンテンツが前記第２の表示コンテンツの下半分のコンテンツを含む
ことを特徴とする請求項２に記載のユーザーインターフェース表示方法。
【請求項９】
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることは、
前記スライド信号のスライド方向が左方向から上方向に変更される場合、前記第１の表示領域における前記第１のサブコンテンツを前記第２の表示コンテンツの第３のサブコンテンツに置き換えること、
又は、
前記スライド信号のスライド方向が左方向から下方向に変更される場合、前記第１の表示領域における前記第１のサブコンテンツを前記第２の表示コンテンツの第３のサブコンテンツに置き換えること、
又は、
前記スライド信号のスライド方向が右方向から上方向に変更される場合、前記第１の表示領域における前記第１のサブコンテンツを前記第２の表示コンテンツの第３のサブコンテンツに置き換えること、
又は、
前記スライド信号のスライド方向が左方向から下方向に変更される場合、前記第１の表示領域における前記第１のサブコンテンツを前記第２の表示コンテンツの第３のサブコンテンツに置き換えることを含む
ことを特徴とする請求項８に記載のユーザーインターフェース表示方法。
【請求項１０】
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることは、
前記スライド信号のスライド方向が左方向から下方向に変更される場合、前記第２の表示領域における前記第４のサブコンテンツを前記第１の表示コンテンツの第２のサブコンテンツに置き換えること、
又は、
前記スライド信号のスライド方向が左方向から上方向に変更される場合、前記第２の表示領域における前記第４のサブコンテンツを前記第１の表示コンテンツの第２のサブコンテンツに置き換えること、
又は、
前記スライド信号のスライド方向が左方向から下方向に変更される場合、前記第２の表示領域における前記第４のサブコンテンツを前記第１の表示コンテンツの第２のサブコンテンツに置き換えること、
又は、
前記スライド信号のスライド方向が右方向から上方向に変更される場合、前記第２の表示領域における前記第４のサブコンテンツを前記第１の表示コンテンツの第２のサブコンテンツに置き換えることを含む
ことを特徴とする請求項８に記載のユーザーインターフェース表示方法。
【請求項１１】
前記スライド信号の前記予め設定された方向へのスライドに基づいて、前記画面に前記コールアウトユーザーインターフェースが表示されることは、
前記スライド信号が予め設定された条件に合致する場合、前記スライド信号の前記予め設定された方向へのスライドに基づいて、前記画面に前記コールアウトユーザーインターフェースが表示されることを含む
ことを特徴とする請求項３に記載のユーザーインターフェース表示方法。
【請求項１２】
前記予め設定された条件は、
前記スライド信号のスライド開始点が前記画面の予め設定されたエッジに位置すること、
又は、
前記スライド信号のスライド開始点が前記画面の予め設定されたエッジに位置し、且つ、前記スライド信号のスライド距離が第１の閾値を超えること、
又は、
前記スライド信号的スライドの開始点が前記予め設定されたエッジの中央の予め設定された領域に位置すること、
又は、
前記スライド信号的スライドの開始点が前記予め設定されたエッジの中央の予め設定された領域に位置し、且つ、前記スライド信号のスライド距離が前記第１の閾値を超えることを含む
ことを特徴とする請求項９に記載のユーザーインターフェース表示方法。
【請求項１３】
前記方法は、さらに、
前記スライド信号のスライド方向が前記予め設定された方向を保持し、且つ、前記スライド信号のスライド距離が第２の閾値を超える場合、前記第１の表示領域における前記第１のサブコンテンツを前記第２の表示コンテンツの第３のサブコンテンツに置き換え、又は、前記第２の表示領域における前記第４のサブコンテンツを前記第１の表示コンテンツの第２のサブコンテンツに置き換えることを含む
ことを特徴とする請求項２又は３に記載のユーザーインターフェース表示方法。
【請求項１４】
受信モジュールと、表示モジュールとを備えるユーザーインターフェース表示装置であって、
前記受信モジュールは、スライド信号を受信するように構成され、
前記表示モジュールは、前記スライド信号の画面でのスライドに基づいて、コールアウトユーザーインターフェースが表示されるように構成され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示されるように構成され、
前記表示モジュールは、前記スライド信号のスライド方向が第１の方向である場合、前記第１の表示領域における前記第１のサブコンテンツを前記第２の表示コンテンツの第３のサブコンテンツに置き換えるように構成され、前記第２の表示コンテンツが前記第３のサブコンテンツ及び前記第４のサブコンテンツを含み、
前記表示モジュールは、前記スライド信号のスライド方向が第２の方向である場合、前記第２の表示領域における前記第４のサブコンテンツを前記第１の表示領域の第２のサブコンテンツに置き換えるように構成され、前記第１の表示コンテンツが前記第１のサブコンテンツ及び前記第２のサブコンテンツを含む
ことを特徴とするユーザーインターフェース表示装置。
【請求項１５】
前記スライド信号の初期スライド方向が予め設定された方向であり、
前記表示モジュールは、前記スライド信号のスライド方向が前記予め設定された方向から前記第１の方向に変更される場合、前記第１の表示領域における前記第１のサブコンテンツを前記第２の表示コンテンツの第３のサブコンテンツに置き換えるように構成され、
前記表示モジュールは、前記スライド信号のスライド方向が前記予め設定された方向から前記第２の方向に変更される場合、前記第２の表示領域における前記第４のサブコンテンツを前記第１の表示コンテンツの第２のサブコンテンツに置き換えるように構成される
ことを特徴とする請求項１４に記載のユーザーインターフェース表示装置。
【請求項１６】
前記表示モジュールは、前記スライド信号の前記予め設定された方向へのスライドに基づいて、前記画面に前記コールアウトユーザーインターフェースが表示されるように構成される
ことを特徴とする請求項１５に記載のユーザーインターフェース表示装置。
【請求項１７】
前記表示モジュールは、前記スライド信号の前記第１の方向へのスライドに基づいて、前記第１のサブコンテンツの表示を前記第１の表示領域に徐々に解除し、前記第３のサブコンテンツを前記第１の表示領域に徐々に表示するように構成され、
前記表示モジュールは、前記スライド信号の前記第２の方向へのスライドに基づいて、前記第４のサブコンテンツの表示を前記第２の表示領域に徐々に解除し、前記第２のサブコンテンツを前記第２の表示領域に徐々に表示するように構成される
ことを特徴とする請求項１４〜１６のいずれか１項に記載のユーザーインターフェース表示装置。
【請求項１８】
前記第１の表示領域が前記コールアウトユーザーインターフェースの左半分の表示領域を含み、前記第１のサブコンテンツが前記第１の表示コンテンツの左半分のコンテンツを含み、前記第３のサブコンテンツが前記第２の表示コンテンツの左半分のコンテンツを含み、
前記第２の表示領域が前記コールアウトユーザーインターフェースの右半分の表示領域を含み、前記第２のサブコンテンツが前記第２の表示コンテンツの右半分のコンテンツを含み、前記第４のサブコンテンツが前記第２の表示コンテンツの右半分のコンテンツを含む
ことを特徴とする請求項１５に記載のユーザーインターフェース表示装置。
【請求項１９】
前記表示モジュールは、前記スライド信号のスライド方向が下方向から左方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が下方向から右方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が上方向から左方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が上方向から右方向に変更される場合、前記第１の表示領域における前記第１のサブコンテンツを前記第２の表示コンテンツの第３のサブコンテンツに置き換えるように構成される
ことを特徴とする請求項１８に記載のユーザーインターフェース表示装置。
【請求項２０】
前記表示モジュールは、前記スライド信号のスライド方向が下方向から右方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が下方向から左方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が上方向から右方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が上方向から左方向に変更される場合、前記第２の表示領域における前記第４のサブコンテンツを前記第１の表示コンテンツの第２のサブコンテンツに置き換えるように構成される
ことを特徴とする請求項１８に記載のユーザーインターフェース表示装置。
【請求項２１】
前記第１の表示領域が前記コールアウトユーザーインターフェースの上半分の表示領域を含み、前記第１のサブコンテンツが前記第１の表示コンテンツの上半分のコンテンツを含み、前記第３のサブコンテンツが前記第２の表示コンテンツの上半分のコンテンツを含み、
前記第２の表示領域が前記コールアウトユーザーインターフェースの下半分の表示領域を含み、前記第２のサブコンテンツが前記第２の表示コンテンツの下半分のコンテンツを含み、前記第４のサブコンテンツが前記第２の表示コンテンツの下半分のコンテンツを含む
ことを特徴とする請求項１５に記載のユーザーインターフェース表示装置。
【請求項２２】
前記表示モジュールは、前記スライド信号のスライド方向が左方向から上方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が左方向から下方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が右方向から上方向に変更される場合、前記第１の表示領域における前記第１のサブコンテンツを前記第２の表示コンテンツの第３のサブコンテンツに置き換えるように構成され、
又は、
前記表示モジュールは、前記スライド信号のスライド方向が左方向から下方向に変更される場合、前記第１の表示領域における前記第１のサブコンテンツを前記第２の表示コンテンツの第３のサブコンテンツに置き換えるように構成される
ことを特徴とする請求項２１に記載のユーザーインターフェース表示装置。
【請求項２３】
前記表示モジュールは、前記スライド信号のスライド方向が左方向から下方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が左方向から上方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が左方向から下方向に変更される場合、前記第２の表示領域における前記第４のサブコンテンツを前記第１の表示コンテンツの第２のサブコンテンツに置き換えるように構成され、
又は、
前記表示モジュールは、前記スライド信号のスライド方向が右方向から上方向に変更される場合、前記第２の表示領域における前記第４のサブコンテンツを前記第１の表示コンテンツの第２のサブコンテンツに置き換えるように構成される
ことを特徴とする請求項２１に記載のユーザーインターフェース表示装置。
【請求項２４】
前記表示モジュールは、前記スライド信号が予め設定された条件に合致する場合、前記スライド信号の前記予め設定された方向へのスライドに基づいて、前記画面に前記コールアウトユーザーインターフェースが表示されるように構成される
ことを特徴とする請求項１６に記載のユーザーインターフェース表示装置。
【請求項２５】
前記予め設定された条件は、
前記スライド信号のスライド開始点が前記画面の予め設定されたエッジに位置することと、
又は、前記スライド信号のスライド開始点が前記画面の予め設定されたエッジに位置し、且つ、前記スライド信号のスライド距離が第１の閾値を超えること、
又は、前記スライド信号的スライドの開始点が前記予め設定されたエッジの中央の予め設定された領域に位置すること、
又は、前記スライド信号的スライドの開始点が前記予め設定されたエッジの中央の予め設定された領域に位置し、且つ、前記スライド信号のスライド距離が前記第１の閾値を超えることを含む
ことを特徴とする請求項２２に記載のユーザーインターフェース表示装置。
【請求項２６】
前記表示モジュールは、前記スライド信号のスライド方向が前記予め設定された方向を保持し、且つ、前記スライド信号のスライド距離が第２の閾値を超える場合、前記第１の表示領域における前記第１のサブコンテンツを前記第２の表示コンテンツの第３のサブコンテンツに置き換え、又は、前記第２の表示領域における前記第４のサブコンテンツを前記第１の表示コンテンツの第２のサブコンテンツに置き換えるように構成される
ことを特徴とする請求項１５又は１６に記載のユーザーインターフェース表示装置。
【請求項２７】
プロセッサと、メモリとを備える端末であって、
前記メモリは、少なくとも１つのプログラムを記憶し、
前記少なくとも１つのプログラムは、前記プロセッサによってロードされて実行されて、請求項１〜１３のいずれか１項に記載のユーザーインターフェース表示方法を実現する
ことを特徴とする端末。
【請求項２８】
少なくとも１つのプログラムを記憶するコンピュータ読み取り可能な記憶媒体であって、
前記少なくとも１つのプログラムは、前記プロセッサによってロードされ実行されて、請求項１〜１３のいずれか１項に記載のユーザーインターフェース表示方法を実現する
ことを特徴とするコンピュータ読み取り可能な記憶媒体。
【発明の詳細な説明】
【関連出願の相互参照】
【０００１】
本願は、２０１８年１月１９日に出願され出願番号２０１８１００５５５４８.４、発明の名称「ユーザーインターフェース表示方法、装置及びデバイス」の中国特許出願の優先権を主張し、その内容全体は参照により本願に組み込まれる。
【技術分野】
【０００２】
本願は、ヒューマンマシンインタラクションの分野に関し、特に、ユーザーインターフェース表示方法、装置及びデバイスに関する。
【背景技術】
【０００３】
スマートフォン、タブレットなどの携帯端末は、ユーザーが日常的に最も頻繁に使用する電子機器である。 
従来の技術において、デスクトップのトップステータスバーでユーザーがプルダウンを行うと、オペレーティングシステムは、ユーザーのプルダウン操作に従い、プルダウンされたユーザーインターフェースを表示する。プルダウンされたユーザーインターフェースには、複数の制御アイテムと、複数の通知メッセージとが表示される。制御アイテムとしては、無線ネットワークスイッチ、ブルートゥーススイッチ、ミュートスイッチ、フライトスイッチ、輝度調整スライドバーなどがある。
【発明の概要】
【０００４】
本願は、プルダウンユーザーインターフェースの表示領域が限られており、表示可能な制御アイテムや通知メッセージが少ないという問題を解決することができるユーザーインターフェース表示方法、装置及び端末を提供する。本技術の概要は以下の通りである
本願の１つの態様は、ユーザーインターフェース表示方法を提供し、前記方法は、
スライド信号を受信することと、前記スライド信号の画面でのスライドに基づいてコールアウトユーザーインターフェースが表示され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示されることと、前記スライド信号のスライド方向が第１の方向である場合、前記第１の表示領域における前記第１のサブコンテンツを前記第２の表示コンテンツの第３のサブコンテンツに置き換え、前記第２の表示コンテンツが前記第３のサブコンテンツ及び前記第４のサブコンテンツを含むことと、前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含むこととを含む。
【０００５】
本願の他の態様は、ユーザーインターフェース表示装置を提供し、前記装置は、受信モジュール及び表示モジュールを備え、
受信モジュールは、スライド信号を受信し、表示モジュールは、前記スライド信号の画面でのスライドに基づいてコールアウトユーザーインターフェースが表示され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示され、前記スライド信号のスライド方向が第１の方向である場合、前記第１の表示領域における前記第１のサブコンテンツを前記第２の表示コンテンツの第３のサブコンテンツに置き換え、前記第２の表示コンテンツが前記第３のサブコンテンツ及び前記第４のサブコンテンツを含み、前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含む。
【０００６】
本願の他の態様は、プロセッサと、メモリとを備える端末を提供し、メモリは、少なくとも１つのプログラムを記憶し、少なくとも１つのプログラムは、プロセッサによってロードされて実行されることにより、上記のユーザーインターフェース表示方法を実現する。
【０００７】
本願の他の態様は、上述したユーザーインターフェース表示方法を実現するために、プロセッサによってロードされ実行される少なくとも１つのプログラムを格納したコンピュータ読み取り可能な記憶媒体が提供される。
【図面の簡単な説明】
【０００８】
【図１】本願の実施例におけるユーザーインターフェース表示方法のフローチャートである。
【図２】図１の実施例におけるユーザーインターフェース表示方法の実行のユーザーインターフェースの模式図である。
【図３】図１の実施例におけるユーザーインターフェース表示方法の実行のユーザーインターフェースの模式図である。
【図４】図１の実施例におけるユーザーインターフェース表示方法の実行のユーザーインターフェースの模式図である。
【図５】図１の実施例におけるユーザーインターフェース表示方法の実行のユーザーインターフェースの模式図である。
【図６】図１の実施例におけるユーザーインターフェース表示方法の実行のユーザーインターフェースの模式図である。
【図７】本願の実施例におけるユーザーインターフェース表示方法のフローチャートである。
【図８】図７の実施例におけるユーザーインターフェース表示方法の実行のユーザーインターフェースの模式図である。
【図９】図７の実施例におけるユーザーインターフェース表示方法の実行のユーザーインターフェースの模式図である。
【図１０】図７の実施例におけるユーザーインターフェース表示方法の実行のユーザーインターフェースの模式図である。
【図１１】図７の実施例におけるユーザーインターフェース表示方法の実行のユーザーインターフェースの模式図である。
【図１２】図７の実施例におけるユーザーインターフェース表示方法の実行のユーザーインターフェースの模式図である。
【図１３】図７の実施例におけるユーザーインターフェース表示方法の実行のユーザーインターフェースの模式図である。
【図１４】本願の実施例におけるユーザーインターフェース表示方法のフローチャートである。
【図１５】図１４の実施例におけるユーザーインターフェース表示方法の実行のユーザーインターフェースの模式図である。
【図１６】図１４の実施例におけるユーザーインターフェース表示方法の実行のユーザーインターフェースの模式図である。
【図１７】図１４の実施例におけるユーザーインターフェース表示方法の実行のユーザーインターフェースの模式図である。
【図１８】本願の実施例におけるユーザーインターフェース表示装置のフローチャートである。
【図１９】本願の実施例における端末のブロック図である。
【発明を実施するための形態】
【０００９】
以下、本願の実施例について、図面を参照して詳細に説明する。本願は、上述の実施の形態に限定されるものではない。 
従来の技術において、プルダウンユーザーインターフェースの表示領域は限られているため、表示できる制御アイテムや通知メッセージは少ない。
【００１０】
本実施例に係るユーザーインターフェース表示方法は、端末に適用することができる。端末は、携帯電話、タブレット、電子書籍リーダー、ＭＰ３ ( Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＩＩ、動画専門家圧縮標準オーディオ層３ )プレーヤ、ＭＰ４ ( Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＶ、動画専門家圧縮標準オーディオ層４ )プレーヤ、ラップトップ、デスクトップコンピュータなどであってもよい。任意選択で、端末は、タッチスクリーンを備える。
【００１１】
図１は、本願の実施例に係るユーザーインターフェース表示方法を示すフローチャートである。本実施例では、この方法を端末に適用した例を説明する。本方法は、以下のステップを含む。
【００１２】
ステップ１０１において、スライド信号を受信し、
端末の画面がタッチスクリーンであっても良く、端末がタッチスクリーンでスライド信号を受信する。
【００１３】
ステップ１０２において、スライド信号の画面でのスライドに基づいて、コールアウトユーザーインターフェースが表示され、該コールアウトユーザーインターフェースが第１の表示領域及び第２の表示領域を含み、
任意選択で、端末は、スライド信号の画面でのスライドの過程に従い、コールアウトユーザーインターフェースを画面の予め設定されたエッジから画面に移動して表示する。該コールアウトユーザーインターフェースは、プルダウンインターフェース制御部または引き出し制御部を使用して実装され得る。
【００１４】
第１の表示領域と第２の表示領域とは、異なるタイプの表示コンテンツを表示する。
【００１５】
任意選択で、第１の表示領域が第１の表示コンテンツに対応し、第１の表示コンテンツが第１のサブコンテンツ及び第２のサブコンテンツを含み、第１の表示領域は、初期状態で第１の表示コンテンツの第１のサブコンテンツを表示する。
【００１６】
任意選択で、第２の表示領域が第２の表示コンテンツに対応し、第２の表示コンテンツが第３のサブコンテンツ及び第４のサブコンテンツを含み、第２の表示領域は、初期状態で第２の表示コンテンツの第４のサブコンテンツを表示する。
【００１７】
図２を参照し、端末は、スライド信号を受信した後、コールアウトユーザーインターフェース５０を画面の上部から画面中に移動して表示する。該コールアウトユーザーインターフェース５０は、プルダウンユーザーインターフェースとも言われる。該コールアウトユーザーインターフェース５０は、左に位置する第１の表示領域５１及び右に位置する第２の表示領域５２を含む。第１の表示領域５１に第１の表示コンテンツの左半分のコンテンツが表示され、第２の表示領域５２に第２の表示コンテンツの右半分のコンテンツが表示される。
【００１８】
ステップ１０３において、スライド信号のスライド方向が第１の方向である場合、第１の表示領域における第１のサブコンテンツを第２の表示コンテンツに対応する第３のサブコンテンツに置き換え、
第１の方向が右方向であることを例とし、スライド信号のスライド方向が右方向である場合、端末は、第１の表示領域における第１のサブコンテンツを第２の表示コンテンツの第３のサブコンテンツに置き換えて、第１の表示領域及び第２の表示領域は、第２の表示コンテンツの一部のコンテンツをそれぞれ表示し、コールアウトユーザーインターフェースに第２の表示コンテンツが表示される。
【００１９】
図３を参照し、該スライド信号のスライド方向が右方向である場合、端末は、第１の表示領域５１に表示される第１の表示コンテンツの左半分のコンテンツを、第２のユーザーインターフェースの左半分のコンテンツに置き換えて、コールアウトユーザーインターフェース５０全体の表示コンテンツが第２のユーザーインターフェースの表示コンテンツとなる。
【００２０】
ステップ１０４において、スライド信号のスライド方向が第２の方向である場合、第２の表示領域における第４のサブコンテンツを、第１の表示コンテンツの第２のサブコンテンツに置き換える。
【００２１】
第２の方向が左方向であることを例とし、スライド信号のスライド方向が左方向である場合、端末は、第２の表示領域における第４のサブコンテンツを第１の表示コンテンツに対応する第２のサブコンテンツに置き換えて、第１の表示領域及び第２の表示領域は、表示第１のユーザーインターフェースの一部コンテンツをそれぞれ表示し、コールアウトユーザーインターフェースに第１の表示コンテンツが表示される。
【００２２】
図４を参照し、該スライド信号のスライド方向が左方向である場合、端末は、第２の表示領域５２に表示される第２の表示コンテンツの右半分のコンテンツを、第１の表示コンテンツの右半分のコンテンツに置き換えて、コールアウトユーザーインターフェース５０全体の表示コンテンツが第１の表示コンテンツとなる。
【００２３】
以上のように、本実施例の方法によれば、コールアウトユーザーインターフェースに第１の表示領域と第２の表示領域とを並べて設けることにより、２つの表示領域に異なる２つのタイプの表示コンテンツのプレビューを設け、スライド信号のスライド方向に応じてその１つの表示領域の表示コンテンツを動的に変化させることにより、これにより、第１の表示領域と第２の表示領域とに、それぞれ、あるタイプの表示コンテンツを表示させることができ、従来の技術においてプルダウンユーザーインターフェイスの表示領域が限られており、表示可能な制御アイテムや通知メッセージが少ないという問題を解決し、スライド信号によるスライド方向に応じて、前記ユーザーは、前記第１の表示コンテンツと前記第２の表示コンテンツをプレビューした後、コールアウトユーザーインターフェースの全体に前記第１の表示コンテンツまたは前記第２の表示コンテンツのいずれかを全て表示させるか、限られた表示領域にユーザーが所望する表示コンテンツをより多く表示することができるという効果を奏する。
【００２４】
なお、上記実施例において、スライド信号は、直線的なスライド信号であってもよいし、直線に近似した曲線的なスライド信号であってもよいし、変曲点を有する２段階式のスライド信号であってもよい。本願は、スライド信号の具体的な形式を限定するものではない。なお、上記のスライド信号は、下方向から左方向に変化するスライド信号であってもよいし、下方向から右方向に変化するスライド信号であってもよい。
【００２５】
図５を参照し、該スライド信号のスライド方向が下方向から右方向に変更される場合、端末は、第１の表示領域５１に表示される第１の表示コンテンツの左半分のコンテンツを、第２のユーザーインターフェースの左半分のコンテンツに置き換えて、コールアウトユーザーインターフェース５０全体の表示コンテンツが第２のユーザーインターフェースの表示コンテンツとなる。
【００２６】
図６を参照し、該スライド信号のスライド方向が下方向から左方向に変更される場合、端末は、第２の表示領域５２に表示される第２の表示コンテンツの右半分のコンテンツを、第１の表示コンテンツの右半分のコンテンツに置き換えて、コールアウトユーザーインターフェース５０全体の表示コンテンツが第１の表示コンテンツとなる。
【００２７】
上記実施例における第１のユーザーインターフェースは、少なくとも１つの制御アイテムを表示するためのユーザーインターフェースである制御センタインターフェースであってもよく、第２のユーザーインターフェースは、少なくとも１つの通知メッセージを表示するためのユーザーインターフェースである通知センタインターフェースであり得る。あるいは、第１のユーザーインターフェースは、通知センタインターフェースであり、第２のユーザーインターフェースは、制御センタインターフェースである。以下では、第１のユーザーインターフェースが制御センタインターフェースであり、第２のユーザーインターフェースが通知センタインターフェースであり、スライド信号が変曲点を有する２段階式スライド信号である場合を例に挙げて説明する。
【００２８】
図７は本願の実施例におけるユーザーインターフェース表示方法のフローチャートである。該方法は、以下のステップを含む。
【００２９】
ステップ７０１において、スライド信号を受信し、
例として、端末の画面は、矩形画面、角が丸い矩形画面、正方形画面、又は異形画面である。この端末の画面は、正面から見て、上下左右の４つのエッジを有している。
【００３０】
待機状態では、端末の画面上には、複数のアプリケーションのアイコンと状態欄が表示されている。いくつかのアプリケーションのアイコンは、オペレーティングシステムに組み込まれたアプリケーションのアイコン、及びサードパーティ開発者によって提供されたアプリケーションのアイコンを含み得る。
【００３１】
端末は、タッチスクリーンを介してスライド信号を受信する。例えば、典型的なスライド信号は、１回の指押し込みイベント( ＡＣＴＩＯＮ＿ＤＯＷＮ )、１回以上の指スライドイベント( ＡＣＴＩＯＮ＿ＭＯＶＥ )、１回の指上げイベント( ＡＣＴＩＯＮ＿ＵＰ )を含む。通常、スライド信号はＡＣＴＩＯＮ＿ＤＯＷＮから始まる。各アクションは、タッチスクリーン上の対応するタッチ座標を有し得る。
【００３２】
ステップ７０２において、スライド信号の予め設定された方向でのスライドに基づいて、画面にコールアウトユーザーインターフェースが表示され、
該スライド信号の初期スライド方向が予め設定された方向である。この実施例において、予め設定された方向が下方向であることを例とする。
【００３３】
任意選択で、端末は、スライド信号の画面でのスライド過程に従い、コールアウトユーザーインターフェースを画面の予め設定されたエッジから画面中に移動して表示する。該コールアウトユーザーインターフェースは、プルダウンインターフェース制御部または引き出し制御部を使用して実装され得る。
【００３４】
任意選択で、スライド信号が予め設定された条件に合致する場合、端末は、スライド信号の予め設定された方向へのスライドに基づいて、画面にコールアウトユーザーインターフェースが表示される。予め設定された条件は、スライド信号のスライドの開始点が前記画面の予め設定されたエッジに位置し、又は、スライド信号のスライドの開始点が画面の予め設定されたエッジに位置し、且つスライド信号のスライド距離が第１の閾値を超え、又は、スライド信号のスライドの開始点が前記予め設定されたエッジ中央の予め設定された領域に位置し、又は、スライド信号のスライドの開始点が予め設定されたエッジ中央の予め設定された領域に位置し、且つ、スライド信号のスライド距離が第１の閾値を超えることを含む。この実施例において、該予め設定されたエッジは、画面の上部エッジであっても良い。
【００３５】
該コールアウトユーザーインターフェースは、プルダウンユーザーインターフェースとも言われる。該コールアウトユーザーインターフェースが第１の表示領域及び第２の表示領域を含む。第１の表示領域は、コールアウトユーザーインターフェースの左の全部又は大部分の領域であり、第２の表示領域は、コールアウトユーザーインターフェースの右の全部又は大部分の領域である。
【００３６】
第１の表示領域に第１の表示コンテンツの第１のサブコンテンツが表示され、第２の表示領域に第２の表示コンテンツの第４のサブコンテンツが表示される。
【００３７】
図８に示すように、コールアウトユーザーインターフェース６０が第１の表示領域６１及び第２の表示領域６２を含み、第１の表示領域６１に制御センタインターフェースの左半分のコンテンツが表示され、第２の表示領域６２に通知センタインターフェースの右半分のコンテンツが表示される。
【００３８】
任意選択で、コールアウトユーザーインターフェース６０は、画面の上部から画面中に移動して表示される。コールアウトユーザーインターフェース６０が画面中の下に移動する速度と、スライド信号のスライド速度とが、正の相関関係を有する。コールアウトユーザーインターフェース６０は、画面の表示領域全体を占めても良いし、画面の一部の表示領域を占めても良い。
【００３９】
第１の表示領域６１と第２の表示領域６２の長さとが同じであり、第１の表示領域６１と第２の表示領域６２の幅が同じ又は異なる。
【００４０】
任意選択で、第１の表示領域６１には、制御センタインターフェースの左半分のコンテンツが表示される。制御センタインターフェースは、少なくとも１つの制御アイテムを表示するためのユーザーインターフェースである。制御アイテムは、フライトモード制御スイッチ、セルラーネットワーク制御スイッチ、ＷｉＦｉ ( ＷＩｒｅｌｅｓｓ Ｆｉｄｅｌｉｔｙ、ワイヤレスフィデリティ)ネットワーク制御スイッチ、VPN ( Ｖｉｒｔｕａｌ Ｐｒｉｖａｔｅ Ｎｅｔｗｏｒｋ、仮想プライベートネットワーク)、ＷｉＦｉホットスポットスイッチ、ブルートゥーススイッチ、干渉防止スイッチ、位置サービススイッチ、懐中電灯スイッチ、オートスピンオンスイッチ、スクリーン機能スイッチ、省電力モードスイッチ、スクリーンスクリーンスクリーンスクリーンスイッチ、バイブレーションスイッチ、ミュートスイッチ、スクリーンヘルプスイッチのうちの少なくとも１つを含むが、これらに限定されない。中央(または、中央以外の位置)に位置する分割線によって区分され、制御センタインターフェースは、左半分コンテンツと右半分コンテンツとを含む。初期状態では、第１の表示領域６１には、制御センタインターフェースの左半分のコンテンツが表示されている。
【００４１】
任意選択で、第２の表示領域６２には、通知センタインターフェースの右半分のコンテンツが表示される。通知センタインターフェースは、通知メッセージを表示するためのユーザーインターフェースである。通知センタインターフェースに表示される通知メッセージは、未読メッセージのメッセージ数に応じて０〜複数であってもよい。通知メッセージは、ショートメッセージ、即時通信型メッセージ、音声通話メッセージ、メール情報、第三者のアプリケーションからの推奨メッセージのうち少なくとも１つを含むが、これらに限定されない。中央(または、中央以外の他の位置)に位置する分割線で区切られ、通知センタインターフェースは、左半部のコンテンツと右半部のコンテンツとを含む。第２の表示領域６２には、初期状態において、通知センタインターフェースの右半分が表示されている。
【００４２】
任意選択で、第１の表示領域６１と第２の表示領域６２との間の一部に、分割線、枠、または、ぼやけた移行領域が表示されてもよく、これに限定されない。
【００４３】
ステップ７０３において、スライド信号のスライド方向を決定し、
ユーザーは、画面上でのスライドを継続して行っても良く、このスライド信号のスライド方向を下方向から左方向や右方向など他の方向に変更することができることができ、端末は、スライド信号のスライド方向をリアルタイムで決定することができる。
【００４４】
端末は、タッチスクリーンに一定時間間隔ごとに報告されるＡＣＴＩＯＮ＿ＭＯＶＥイベントを受信し、ＡＣＴＩＯＮ＿ＭＯＶＥイベントからタッチ座標を抽出する。任意選択で、端末は、隣接する２回(または連続した複数回)取得されたタッチ座標から、スライド信号のスライド方向を計算する。例えば、端末は、i番目のタッチ座標をi＋１番目のタッチ座標の方向に向けて、スライド信号のスライド方向として決定し、また、例えば、端末は、連続して複数回取得したタッチ座標に基づいてスライド信号のスライド軌跡を描き、直近のタッチ座標におけるスライド軌跡上の接線に基づいてスライド信号のスライド方向を特定する。本願実施例は、端末がスライド信号のスライド方向を特定する具体的な方式を限定しない。
【００４５】
ステップ７０４において、スライド信号のスライド方向が予め設定された方向から第１の方向に変更される場合、第１の表示領域における第１のサブコンテンツを第２の表示コンテンツに対応する第３のサブコンテンツに置き換え、
水平右方向を０°方向とし、スライド方向が下方向から左方向に変化し、下方向とはスライド方向が[ ９０°-α，９０°＋α]に属し、右方向とはスライド方向が[ １８０°-α，１８０°＋α]に属すると、端末は、図９に示すように、第１の表示領域６１における通知センタインターフェースの左半分のコンテンツを、制御センタインターフェースの左半分のコンテンツに置き換える。αは、予め設定された誤差閾値である。
【００４６】
任意選択で、上記の置き換えプロセスは、短時間での直接置き換えであり、または、上記の置き換えプロセスは、動画を伴うゆっくりとした交換である。上記置き換えプロセス対応するアニメーションは、第１の表示領域６１と第２の表示領域６２との間の分割線を第１の速度で左側に移動させ、その分割線の左側に位置する通知センタインターフェースの表示コンテンツを徐々に消させ、その分割線の右側に位置する制御センタインターフェースの表示コンテンツを徐々に増加させ、その分割線が画面の第１のエッジに移動するまで、コールアウトユーザーインターフェース６０全体に制御センタインターフェースの表示コンテンツを表示させるものであってもよい。すなわち、端末は、スライド信号の第１の方向へのスライドに応じて、第１の表示領域において第１のサブコンテンツを徐々に表示を解除し、第１の表示領域において第３のサブコンテンツを徐々に表示する。
【００４７】
ステップ７０５において、スライド信号のスライド方向が予め設定された方向から第２の方向に変更される場合、第２の表示領域における第４のサブコンテンツを第１の表示コンテンツの第２のサブコンテンツに置き換え、
水平右方向を０°方向とし、スライド方向が下方向から右方向に変化し、下方向とはスライド方向が[ ９０°-α，９０°＋α]に属し、右方向とはスライド方向が[ ０°-α，０°＋α]に属すると、端末は、図１０に示すように、第２の表示領域６２における通知センタインターフェースの左半分のコンテンツを、通知センタインターフェースの左半分のコンテンツに置き換える。
【００４８】
任意選択で、上記の置き換えプロセスは、短時間での直接交換であり、または、置き換えプロセスは、動画を伴うゆっくりとした交換である。上記置き換えプロセスに対応するアニメーションは、第１の表示領域６１と第２の表示領域６２との間の分割線を第２の速度で右側に移動させ、その分割線の右側に位置する制御センタインターフェースの表示コンテンツを徐々に消させ、その分割線の左側に位置する通知センタインターフェースの表示コンテンツを徐々に増加させ、その分割線が画面の第２のエッジに移動するまで、コールアウトユーザーインターフェース６０全体に通知センタインターフェースの表示コンテンツを表示させるようにしてもよい。すなわち、端末は、スライド信号による第２の方向へのスライドに応じて、第２の表示領域における第４のサブコンテンツの表示を徐々に解除し、第２の表示領域において第２のサブコンテンツの表示を徐々に行う。
【００４９】
ステップ７０６において、スライド信号のスライド方向が予め設定された方向を保持している場合、第１の表示コンテンツが表示され、又は、第２の表示コンテンツが表示され、又は、第１の表示コンテンツ及び第２の表示コンテンツのいずれかをランダム表示される。
【００５０】
なお、ユーザーは、スライド方向を変えずにそのまま下にスライドさせることも可能であるため、このとき、端末は、通知センタインターフェースを表示してもよいし、制御センタインターフェースを表示してもよいし、通知センタインターフェースと制御センタインターフェースのいずれか一方をランダムに表示してもよい。すなわち、端末は、以下の３つの態様のいずれかを採ることができる。
【００５１】
第１のとして、通知センタインターフェースが表示される。
【００５２】
水平右方向を０°方向とし、図１１に示すように、スライド方向のスライド方向が時計方向である[ ９０°-α，９０°＋α]のままであれば、端末は、第２の表示領域における制御センタインターフェースの右半分のコンテンツを、通知センタインターフェースの右半分のコンテンツに置き換える。
【００５３】
該置き換え過程は、ステップ７０５を参照する。
【００５４】
第２のとして、制御センタインターフェースが表示される。
【００５５】
水平右方向を０°方向とし、スライド方向のスライド方向が時計方向である[ ９０°-α，９０°＋α]のままである場合、端末は、第１の表示領域における通知センタインターフェースの左半分のコンテンツを、制御センタインターフェースの左半分のコンテンツに置き換える。
【００５６】
該置き換え過程は、ステップ７０４を参照する。
【００５７】
第３として、表示通知センタインターフェース及び制御センタインターフェースのいずれかがランダム表示される。
【００５８】
水平右方向を０°方向とし、スライド方向のスライド方向が時計方向である[ ９０°-α，９０°＋α]のままであれば、乱数を生成し、この乱数が奇数であれば、端末は、第２の表示領域における制御センタインターフェースの右半分のコンテンツを、通知センタインターフェースの右半分のコンテンツに置き換え、この乱数が偶数である場合には、第２の表示領域における制御センタインターフェースの右半分のコンテンツを、通知センタインターフェースの右半分のコンテンツに置き換える。
【００５９】
１つの可能な実施例では、端末は、このスライド信号のスライド方向が、予め設定された方向の反対方向(この実施例では、上方向でもよい)である場合、コールアウトユーザーインターフェースの表示をキャンセルする。すなわち、端末は、コールアウトユーザーインターフェースを画面の予め設定されたエッジに沿って画面外に上方に移動させ、画面を初期表示状態に戻す。この初期表示状態は、コールアウトユーザーインターフェースを表示する前の端末の表示状態である。
【００６０】
以上のように、本実施例によれば、コールアウトユーザーインターフェースに第１の表示領域と第２の表示領域を並べて設けることにより、通知センタインターフェース又は制御センタインターフェースのプレビューを両表示領域に設け、スライド信号のスライド方向に応じてその１つの表示領域の表示コンテンツを動的に変化させることにより、第１の表示領域と第２の表示領域とに、ある表示コンテンツを表示させることができ、従来の技術のプルダウンユーザーインターフェイスの表示領域が限られ、表示できる制御アイテムや通知メッセージが少ないという問題を解決し、スライド信号のスライド方向に応じて、コールアウトユーザーインターフェース全体に第１の表示コンテンツを全て表示させることができ、あるいはコールアウトユーザーインターフェース全体に第２の表示コンテンツを全て表示させることで、限られた表示領域の中で、ユーザーが所望する表示コンテンツを表示させるという効果を奏する。
【００６１】
本実施例の方法によれば、また、スライド信号が継続して下方にスライドする場合、通知センタインターフェースを表示したり、制御センタインターフェースを表示したり、通知センタインターフェースと制御センタインターフェースのいずれか一方をランダムに表示することにより、ユーザーがスライド信号のスライド方向を変更しなくても、端末が正しいフィードバックを行うことができ、ユーザーは常にコールアウトユーザーインターフェースで有効な表示コンテンツを確認することができる。
【００６２】
なお、図７に基づく別の実施例では、上述した第１の方向と第２の方向とを交換してもよい。
【００６３】
第２の方向が左方向である場合を例とし、スライド信号のスライド方向が下方向から左方向に変更されると、端末は、図１２に示すように、第２の表示領域６２に位置する制御センタインターフェースの右半分のコンテンツを、通知センタインターフェースの右半分のコンテンツに置き換えることができ、第１のエッジが右側エッジである場合、端末は、図１３に示すように、スライド信号のスライド方向が第１のエッジに向かうと、第１の表示領域６１に位置する通知センタインターフェースの左半分のコンテンツを、制御センタインターフェースの左半分のコンテンツに置き換えることができる。
【００６４】
なお、図７に基づく実施例において、上記の予め設定された方向は、上方向に置き換えてもよい。即ち、スライド信号の初期スライド方向が上方向であり、端末は、スライド信号の上方向でのスライドに基づいて、コールアウトユーザーインターフェースを表示し、スライド信号のスライド方向が上方向から左方向に変更される場合、第１の表示領域における第１のサブコンテンツを第２の表示コンテンツの第３のサブコンテンツに置き換え、スライド信号のスライド方向が上方向から右方向に変更される場合、第２の表示領域における第４のサブコンテンツを第１の表示コンテンツの第２のサブコンテンツに置き換え、又は、スライド信号のスライド方向が上方向から右方向に変更される場合、第１の表示領域における第１のサブコンテンツを第２の表示コンテンツの第３のサブコンテンツに置き換え、スライド信号のスライド方向が上方向から左方向に変更される場合、第２の表示領域における第４のサブコンテンツを第１の表示コンテンツの第２のサブコンテンツに置き換える。
【００６５】
上記図７〜図１３の実施例では、第１の表示領域と第２の表示領域とを左右に区分して例示した。異なる実施例では、第１の表示領域及び第２の表示領域は、上下に分割されてもよい。以下の実施例を参照されたい。
【００６６】
図１４は本願の他の実施例におけるユーザーインターフェース表示方法のフローチャートである。該方法は、以下のステップを含み、
ステップ８０１において、スライド信号を受信し、
ステップ８０２において、スライド信号の右方向でのスライドに基づいて、画面にコールアウトユーザーインターフェースが表示され、
該スライド信号の初期スライド方向が予め設定された方向である。この実施例において、予め設定された方向が右方向であることを例とする。
【００６７】
任意選択で、端末は、スライド信号の右方向でのスライド過程に従い、コールアウトユーザーインターフェースを画面の左エッジから画面中に移動して表示する。
【００６８】
任意選択で、スライド信号が予め設定された条件に合致する場合、端末は、スライド信号の予め設定された方向へのスライドに基づいて、画面にコールアウトユーザーインターフェースを表示する。予め設定された条件は、スライド信号のスライド開始点が前記画面の予め設定されたエッジに位置し、又は、スライド信号のスライド開始点が画面の予め設定されたエッジに位置し、且つスライド信号のスライド距離が第１の閾値を超え、又は、スライド信号のスライド開始点が前記予め設定されたエッジ中央の予め設定された領域に位置し、又は、スライド信号のスライド開始点が予め設定されたエッジ中央の予め設定された領域に位置し、且つスライド信号のスライド距離が第１の閾値を超えることを含む。この実施例において、該予め設定されたエッジは、画面の左エッジであってもよい。
【００６９】
該コールアウトユーザーインターフェースが第１の表示領域及び第２の表示領域を含む。第１の表示領域は、コールアウトユーザーインターフェース上部の全部又は大部分の領域であり、第２の表示領域は、コールアウトユーザーインターフェースの下部の全部又は大部分の領域である。
【００７０】
第１の表示領域に第１の表示コンテンツの第１のサブコンテンツが表示され、第２の表示領域に第２の表示コンテンツの第４のサブコンテンツが表示される。
【００７１】
図１５に示すように、コールアウトユーザーインターフェース９０が第１の表示領域９１及び第２の表示領域９２を含み、第１の表示領域９１に第１の表示コンテンツの上半分のコンテンツが表示され、第２の表示領域６２に第２の表示コンテンツの下半分のコンテンツが表示される。
【００７２】
任意選択で、コールアウトユーザーインターフェース６０は、画面の右側エッジから画面内に移動して表示される。コールアウトユーザーインターフェース６０が画面内の右方向に移動する速度は、スライド信号のスライド速度と正の相関関係を有する。コールアウトユーザーインターフェース６０は、画面の表示領域の全体を占めるものであってもよいし、画面の表示領域の一部を占めるものであってもよい。
【００７３】
第１の表示領域６１と第２の表示領域６２の幅は同じであり、第１の表示領域６１と第２の表示領域６２の高さは同じか、異なっている。
【００７４】
任意選択で、第１の表示領域６１と第２の表示領域６２との間の一部に、分割線、枠、または、ぼやけた移行領域が表示されてもよく、これに限定されない。
【００７５】
ステップ８０３において、スライド信号のスライド方向を決定し、
ユーザーは、画面上でのスライドを継続して行うことができ、このスライド信号のスライド方向を下方向から左方向や右方向など他の方向に変更することができ、端末は、スライド信号のスライド方向をリアルタイムで決定することができる。
【００７６】
端末は、タッチスクリーンに一定時間間隔ごとに報告されるＡＣＴＩＯＮ＿ＭＯＶＥイベントを受信し、ＡＣＴＩＯＮ＿ＭＯＶＥイベントからタッチ座標を抽出する。任意選択で、端末は、隣接する２回(または連続した複数回)取得されたタッチ座標から、スライド信号のスライド方向を計算する。例えば、端末は、i番目のタッチ座標をi＋１番目のタッチ座標の方向に向けて、スライド信号のスライド方向として決定し、また、例えば、端末は、連続して複数回取得したタッチ座標に基づいてスライド信号のスライド軌跡を描き、直近のタッチ座標におけるスライド軌跡上の接線に基づいてスライド信号のスライド方向を特定する。本願実施例は、端末がスライド信号のスライド方向を特定する具体的な方式を限定しない。
【００７７】
ステップ８０４において、スライド信号のスライド方向が右方向から上方向に変更される場合、第１の表示領域における第１のサブコンテンツを第２の表示コンテンツに対応する第３のサブコンテンツに置き換え、
水平右方向を０°方向とし、スライド方向が右方向から上方向に変更され、右方向とはスライド方向が[ １８０°-α，１８０°＋α]に属し、上方向とはスライド方向が[ ２７０°-α，２７０°＋α]に属したとき、端末は、図１６に示すように、第１の表示領域８１の第１のサブコンテンツを第２の表示コンテンツに対応する第３のサブコンテンツに置き換える。αは、予め設定された誤差閾値である。
【００７８】
任意選択で、置き換えプロセスは、短時間での直接交換であり、または、置き換えプロセスは、動画を伴うゆっくりとした交換である。上記置き換えプロセスに対応するアニメーションは、第１の表示領域８１と第２の表示領域８２との間の分割線を第１の速度で上に移動させ、その分割線の上方に位置する第１のサブコンテンツを徐々に消させ、その分割線の下方に位置する第２の表示コンテンツを、その分割線が画面の上側のエッジに移動するまで徐々に増加させ、第２の表示コンテンツを、コールアウトユーザーインターフェース８０の全体に表示させるようにしてもよい。すなわち、端末は、スライド信号の第１の方向へのスライドに応じて、第１の表示領域において第１のサブコンテンツを徐々に表示を解除し、第１の表示領域において第３のサブコンテンツを徐々に表示する。
【００７９】
ステップ８０５において、スライド信号のスライド方向が右方向から下方向に変更される場合、第２の表示領域における第４のサブコンテンツを、第１の表示コンテンツの第２のサブコンテンツに置き換え、
水平右方向を０°方向とし、スライド方向が右方向から下方向に変更され、右方向とはスライド方向が[ ０°-α，０°＋α]に属し、下方向とはスライド方向が[ ９０°-α，９０°＋α]に属すると、端末は、図１７に示すように、第２の表示領域８２の第４のサブコンテンツを第１の表示コンテンツの第２のサブコンテンツに置き換える。
【００８０】
任意選択で、置き換えプロセスは、短時間での直接交換であり、または、置き換えプロセスは、動画を伴うゆっくりとした交換である。上記置き換えプロセスに対応するアニメーションは、第１の表示領域８１と第２の表示領域８２との間の分割線を第２の速度で下に移動させ、その分割線の下に位置する第２の表示コンテンツを徐々に消させ、その分割線の上に位置する第１の表示コンテンツを、その分割線が画面の第２のエッジに移動するまで徐々に増加させたときに、第１の表示コンテンツを、コールアウトユーザーインターフェース８０の全体に表示させるようにしてもよい。すなわち、端末は、スライド信号による第２の方向へのスライドに応じて、第２の表示領域において第４のサブコンテンツの表示を徐々に解除し、第２の表示領域において第２のサブコンテンツの表示を徐々に行う。
【００８１】
ステップ８０６において、スライド信号のスライド方向が右方向を保持する場合、第１の表示コンテンツを表示し、又は、第２の表示コンテンツを表示し、又は、第１の表示コンテンツ及び第２の表示コンテンツのいずれかをランダム表示する。
【００８２】
なお、ユーザーは、スライド方向を変えずにそのまま右方向にスライドさせることも可能であるため、このとき、端末は、通知センタインターフェースを表示したり、制御センタインターフェースを表示したり、通知センタインターフェースと制御センタインターフェースのいずれかをランダムに表示したりすることができる。
【００８３】
１つの可能な実施例では、このスライド信号のスライド方向が、予め設定された方向の反対方向(この実施例では、左方向でもよい)である場合、端末は、コールアウトユーザーインターフェースの表示をキャンセルする。すなわち、コールアウトユーザーインターフェースを画面の予め設定されたエッジに沿って画面外に上方に移動させ、端末の初期表示状態に戻す。この初期表示状態は、コールアウトユーザーインターフェースを表示する前の端末の表示状態である。
【００８４】
以上のように、本実施例の方法によれば、コールアウトユーザーインターフェースに第１の表示領域と第２の表示領域を並べて設けることにより、通知センタインターフェース又は制御センタインターフェースのプレビューを両表示領域に設け、スライド信号のスライド方向に応じて表示領域の表示コンテンツを動的に変化させることにより、第１の表示領域と第２の表示領域とに、それぞれ、あるユーザーインターフェースの表示コンテンツを表示させることで、従来の技術においてプルダウンユーザーインターフェースの表示領域が限られ、表示できる制御アイテムや通知メッセージが少ないという問題を解決し、スライド信号のスライド方向に応じて、コールアウトユーザーインターフェース全体に通知センタインターフェースを全て表示させることができ、あるいはコールアウトユーザーインターフェース全体に制御センタインターフェースを全て表示させることで、限られた表示領域の中で、よりユーザーが所望する表示コンテンツを表示させることができるという効果を奏する。
【００８５】
本実施例の方法によれば、また、スライド信号が継続して右にスライドする場合、通知センタインターフェースを表示したり、制御センタインターフェースを表示したり、通知センタインターフェースと制御センタインターフェースのいずれか一方をランダムに表示することにより、ユーザーがスライド信号のスライド方向を変更しなくても、端末が正しいフィードバックを行うことができ、ユーザーは常にコールアウトユーザーインターフェースで有効な表示コンテンツを確認することができる。
【００８６】
なお、図１４に基づく実施例において、上記の第１の方向と第２の方向とは交換してもよい。即ち、第１の方向が下方向、第２の方向が上方向である。
【００８７】
なお、図１４に基づく実施例において、上記の予め設定された方向は、左方向であってもよい。即ち、スライド信号の初期スライド方向が上方向であり、端末は、スライド信号の左方向へのスライドに基づいて、コールアウトユーザーインターフェースを表示し、スライド信号のスライド方向が左方向から上方向に変更される場合、第１の表示領域における第１のサブコンテンツを第２の表示コンテンツの第３のサブコンテンツに置き換え、スライド信号のスライド方向が左方向から下方向に変更される場合、第２の表示領域における第４のサブコンテンツを第１の表示コンテンツの第２のサブコンテンツに置き換え、又は、スライド信号のスライド方向が左方向から下方向に変更される場合、第１の表示領域における第１のサブコンテンツを第２の表示コンテンツの第３のサブコンテンツに置き換え、スライド信号のスライド方向が左方向から上方向に変更される場合、第２の表示領域における第４のサブコンテンツを第１の表示コンテンツの第２のサブコンテンツに置き換える。
【００８８】
上記の各実施例は、自由に組み合わせて実施することもでき、これは、当業者が上記の記載から容易に想到するものであり、本明細書に説明を省略する。
【００８９】
以下は、本願の実施例の装置の実施例であり、この装置の実施例は、上記方法の実施例に１対１に対応する。装置の実施例に詳細に記載されていない詳細については、上述の方法の実施例における説明を参照されたい。
【００９０】
図１８は、本願の実施例によるユーザーインターフェース表示装置を示すブロック図である。このユーザーインターフェース表示装置は、ソフトウェア、ハードウェア、あるいは両者の組み合わせによって端末の全部または一部として実現することができる。
【００９１】
前記表示装置は、受信モジュール１８２０及び表示モジュール１８４０を備え、
受信モジュール１８２０は、スライド信号を受信するように構成され、
表示モジュール１８４０は、前記スライド信号の画面でのスライドに基づいて、コールアウトユーザーインターフェースが表示されるように構成され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示されるように構成され、
前記表示モジュール１８４０は、前記スライド信号のスライド方向が第１の方向である場合、前記第１の表示領域における前記第１のサブコンテンツを前記第２の表示コンテンツの第３のサブコンテンツに置き換えるように構成され、前記第２の表示コンテンツが前記第３のサブコンテンツ及び前記第４のサブコンテンツを含み、
前記表示モジュール１８４０は、前記スライド信号のスライド方向が第２の方向である場合、前記第２の表示領域における前記第４のサブコンテンツを前記第１の表示領域の第２のサブコンテンツに置き換えるように構成され、前記第１の表示コンテンツが前記第１のサブコンテンツ及び前記第２のサブコンテンツを含む。
【００９２】
ある実現可能な形態において、前記スライド信号の初期スライド方向が予め設定された方向であり、
前記表示モジュール１８４０は、前記スライド信号のスライド方向が前記予め設定された方向から前記第１の方向に変更される場合、前記第１の表示領域における前記第１のサブコンテンツを前記第２の表示コンテンツの第３のサブコンテンツに置き換えるように構成され、
前記表示モジュール１８４０は、前記スライド信号のスライド方向が前記予め設定された方向から前記第２の方向に変更される場合、前記第２の表示領域における前記第４のサブコンテンツを前記第１の表示コンテンツの第２のサブコンテンツに置き換えるように構成される。
【００９３】
ある実現可能な形態において、前記表示モジュール１８４０は、前記スライド信号の前記予め設定された方向へのスライドに基づいて、前記画面に前記コールアウトユーザーインターフェースが表示されるように構成される。
【００９４】
ある実現可能な形態において、前記表示モジュール１８４０は、前記スライド信号の前記第１の方向へのスライドに基づいて、前記第１のサブコンテンツの表示を前記第１の表示領域に徐々に解除し、前記第３のサブコンテンツを前記第１の表示領域に徐々に表示するように構成され、前記表示モジュール１８４０は、前記スライド信号の前記第２の方向へのスライドに基づいて、前記第４のサブコンテンツの表示を前記第２の表示領域に徐々に解除し、前記第２のサブコンテンツを前記第２の表示領域に徐々に表示するように構成される。
【００９５】
ある実現可能な形態において、前記第１の表示領域が前記コールアウトユーザーインターフェースの左半分の表示領域であり、前記第１のサブコンテンツが前記第１の表示コンテンツの左半分のコンテンツであり、前記第３のサブコンテンツが前記第２の表示コンテンツの左半分のコンテンツであり、前記第２の表示領域が前記コールアウトユーザーインターフェースの右半分の表示領域であり、前記第２のサブコンテンツが前記第２の表示コンテンツの右半分のコンテンツであり、前記第４のサブコンテンツが前記第２の表示コンテンツの右半分のコンテンツである。
【００９６】
ある実現可能な形態において、前記表示モジュール１８４０は、前記スライド信号のスライド方向が下方向から左方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が下方向から右方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が上方向から左方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が上方向から右方向に変更される場合、前記第１の表示領域における前記第１のサブコンテンツを前記第２の表示コンテンツの第３のサブコンテンツに置き換えるように構成される。
【００９７】
ある実現可能な形態において、前記表示モジュール１８４０は、前記スライド信号のスライド方向が下方向から右方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が下方向から左方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が上方向から右方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が上方向から左方向に変更される場合、前記第２の表示領域における前記第４のサブコンテンツを前記第１の表示コンテンツの第２のサブコンテンツに置き換えるように構成される。
【００９８】
ある実現可能な形態において、前記第１の表示領域が前記コールアウトユーザーインターフェースの上半分の表示領域であり、前記第１のサブコンテンツが前記第１の表示コンテンツの上半分のコンテンツであり、前記第３のサブコンテンツが前記第２の表示コンテンツの上半分のコンテンツであり、前記第２の表示領域が前記コールアウトユーザーインターフェースの下半分の表示領域であり、前記第２のサブコンテンツが前記第２の表示コンテンツの下半分のコンテンツであり、前記第４のサブコンテンツが前記第２の表示コンテンツの下半分のコンテンツである。
【００９９】
ある実現可能な形態において、前記表示モジュール１８４０は、前記スライド信号のスライド方向が左方向から上方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が左方向から下方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が右方向から上方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が左方向から下方向に変更される場合、前記第１の表示領域における前記第１のサブコンテンツを前記第２の表示コンテンツの第３のサブコンテンツに置き換えるように構成される。
【０１００】
ある実現可能な形態において、前記表示モジュール１８４０は、前記スライド信号のスライド方向が左方向から下方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が左方向から上方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が左方向から下方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が右方向から上方向に変更される場合、前記第２の表示領域における前記第４のサブコンテンツを前記第１の表示コンテンツの第２のサブコンテンツに置き換えるように構成される。
【０１０１】
ある実現可能な形態において、前記表示モジュール１８４０は、前記スライド信号が予め設定された条件に合致する場合、前記スライド信号の前記予め設定された方向へのスライドに基づいて、前記画面に前記コールアウトユーザーインターフェースが表示されるように構成される。
【０１０２】
ある実現可能な形態において、前記予め設定された条件は、
前記スライド信号のスライド開始点が前記画面の予め設定されたエッジに位置すること、
又は、前記スライド信号のスライド開始点が前記画面の予め設定されたエッジに位置し、且つ、前記スライド信号のスライド距離が第１の閾値を超えること、
又は、前記スライド信号的スライドの開始点が前記予め設定されたエッジの中央の予め設定された領域に位置すること、
又は、前記スライド信号的スライドの開始点が前記予め設定されたエッジの中央の予め設定された領域に位置し、且つ、前記スライド信号のスライド距離が前記第１の閾値を超えることを含む。
【０１０３】
ある実現可能な形態において、前記表示モジュール１８４０は、前記スライド信号のスライド方向が前記予め設定された方向を保持し、且つ、前記スライド信号のスライド距離が第２の閾値を超える場合、前記第１の表示領域における前記第１のサブコンテンツを前記第２の表示コンテンツの第３のサブコンテンツに置き換え、又は、前記第２の表示領域における前記第４のサブコンテンツを前記第１の表示コンテンツの第２のサブコンテンツに置き換えるように構成される。
【０１０４】
図１９は、本願の一実施例による端末の構成を示すブロック図であり、図１９に示すように、端末は、プロセッサ１９２０、メモリ１９４０、及び画面１９６０を含み、メモリ１９４０には、少なくとも１つのプログラムが格納され、前記少なくとも１つのプログラムは、前記プロセッサ１９２０によってロードされて実行されることにより、前述した様々な実施例によるユーザーインターフェース表示方法を実現する。画面１９６０は、タッチスクリーンであってもよい。
【０１０５】
本開示は、上記の様々な方法の実施例によって提供されるユーザーインターフェース表示方法を実現するために、プロセッサによってロードされ実行される少なくとも１つの命令を記憶したコンピュータ可読記憶媒体を提供する。
【０１０６】
本願は、コンピュータ上で実行されると、コンピュータに、上記の様々な方法実施例によって提供されるユーザーインターフェース表示方法を実行させるコンピュータプログラム製品も提供する。
【図１】
2021510878.tif 000003
【図２】
2021510878.tif 000004
【図３】
2021510878.tif 000005
【図４】
2021510878.tif 000006
【図５】
2021510878.tif 000007
【図６】
2021510878.tif 000008
【図７】
2021510878.tif 000009
【図８】
2021510878.tif 000010
【図９】
2021510878.tif 000011
【図１０】
2021510878.tif 000012
【図１１】
2021510878.tif 000013
【図１２】
2021510878.tif 000014
【図１３】
2021510878.tif 000015
【図１４】
2021510878.tif 000016
【図１５】
2021510878.tif 000017
【図１６】
2021510878.tif 000018
【図１７】
2021510878.tif 000019
【図１８】
2021510878.tif 000020
【図１９】
2021510878.tif 000021
【手続補正書】
【提出日】令和2年7月20日(2020.7.20)
【手続補正１】
【補正対象書類名】明細書
【補正対象項目名】００９９
【補正方法】変更
【補正の内容】
【００９９】
ある実現可能な形態において、前記表示モジュール１８４０は、前記スライド信号のスライド方向が左方向から上方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が左方向から下方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が右方向から上方向に変更される場合、前記第１の表示領域における前記第１のサブコンテンツを前記第２の表示コンテンツの第３のサブコンテンツに置き換えるように構成され、又は、前記表示モジュール１８４０は、前記スライド信号のスライド方向が右方向から下方向に変更される場合、前記第１の表示領域における前記第１のサブコンテンツを前記第２の表示コンテンツの第３のサブコンテンツに置き換えるように構成される。
【手続補正２】
【補正対象書類名】明細書
【補正対象項目名】０１００
【補正方法】変更
【補正の内容】
【０１００】
ある実現可能な形態において、前記表示モジュール１８４０は、前記スライド信号のスライド方向が左方向から下方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が左方向から上方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が右方向から下方向に変更される場合、前記第２の表示領域における前記第４のサブコンテンツを前記第１の表示コンテンツの第２のサブコンテンツに置き換えるように構成され、又は、前記表示モジュール１８４０は、前記スライド信号のスライド方向が右方向から上方向に変更される場合、前記第２の表示領域における前記第４のサブコンテンツを前記第１の表示コンテンツの第２のサブコンテンツに置き換えるように構成される。
【手続補正３】
【補正対象書類名】特許請求の範囲
【補正対象項目名】全文
【補正方法】変更
【補正の内容】
【特許請求の範囲】
【請求項１】
スライド信号を受信することと、
前記スライド信号の画面でのスライドに基づいて、コールアウトユーザーインターフェースが表示され、前記コールアウトユーザーインターフェースが第１の表示領域及び第２の表示領域を含み、前記第１の表示領域に第１の表示コンテンツの第１のサブコンテンツが表示され、前記第２の表示領域に第２の表示コンテンツの第４のサブコンテンツが表示されることと、
前記スライド信号のスライド方向が第１の方向である場合、前記第１の表示領域における前記第１のサブコンテンツを前記第２の表示コンテンツの第３のサブコンテンツに置き換え、前記第２の表示コンテンツが前記第３のサブコンテンツ及び前記第４のサブコンテンツを含むことと、
前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含むこととを含む
ことを特徴とするユーザーインターフェース表示方法。
【請求項２】
前記スライド信号の初期スライド方向が予め設定された方向であり、
前記スライド信号のスライド方向が第１の方向である場合、前記第１の表示領域における前記第１のサブコンテンツを前記第２の表示コンテンツの第３のサブコンテンツに置き換えることは、
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることと、
前記スライド信号のスライド方向が第２の方向である場合、前記第２の表示領域における前記第４のサブコンテンツを前記第１の表示領域の第２のサブコンテンツに置き換え、前記第１の表示コンテンツが前記第１のサブコンテンツ及び前記第２のサブコンテンツを含むことと、
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることとを含む
ことを特徴とする請求項１に記載のユーザーインターフェース表示方法。
【請求項３】
前記スライド信号に基づいて画面でコールアウトユーザーインターフェースが表示されることは、
前記スライド信号の前記予め設定された方向へのスライドに基づいて、前記画面に前記コールアウトユーザーインターフェースが表示されることを含む
ことを特徴とする請求項２に記載のユーザーインターフェース表示方法。
【請求項４】
前記第１の表示領域における前記第１のサブコンテンツを前記第２の表示コンテンツの第３のサブコンテンツに置き換えることは、
前記スライド信号の前記第１の方向へのスライドに基づいて、前記第１のサブコンテンツの表示を前記第１の表示領域に徐々に解除し、前記第３のサブコンテンツを前記第１の表示領域に徐々に表示することを含み、
前記第２の表示領域における前記第４のサブコンテンツを前記第１の表示コンテンツの第２のサブコンテンツに置き換えることは、
前記スライド信号の前記第２の方向へのスライドに基づいて、前記第４のサブコンテンツの表示を前記第２の表示領域に徐々に解除し、前記第２のサブコンテンツを前記第２の表示領域に徐々に表示することを含む
ことを特徴とする請求項１〜３のいずれか１項に記載のユーザーインターフェース表示方法。
【請求項５】
前記第１の表示領域が前記コールアウトユーザーインターフェースの左半分の表示領域を含み、前記第１のサブコンテンツが前記第１の表示コンテンツの左半分のコンテンツを含み、前記第３のサブコンテンツが前記第２の表示コンテンツの左半分のコンテンツを含み、
前記第２の表示領域が前記コールアウトユーザーインターフェースの右半分の表示領域を含み、前記第２のサブコンテンツが前記第２の表示コンテンツの右半分のコンテンツを含み、前記第４のサブコンテンツが前記第２の表示コンテンツの右半分のコンテンツを含む
ことを特徴とする請求項２に記載のユーザーインターフェース表示方法。
【請求項６】
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることは、
前記スライド信号のスライド方向が下方向から左方向に変更される場合、前記第１の表示領域における前記第１のサブコンテンツを前記第２の表示コンテンツの第３のサブコンテンツに置き換えること、
又は、
前記スライド信号のスライド方向が下方向から右方向に変更される場合、前記第１の表示領域における前記第１のサブコンテンツを前記第２の表示コンテンツの第３のサブコンテンツに置き換えること、
又は、
前記スライド信号のスライド方向が上方向から左方向に変更される場合、前記第１の表示領域における前記第１のサブコンテンツを前記第２の表示コンテンツの第３のサブコンテンツに置き換えること、
又は、
前記スライド信号のスライド方向が上方向から右方向に変更される場合、前記第１の表示領域における前記第１のサブコンテンツを前記第２の表示コンテンツの第３のサブコンテンツに置き換えることを含む
ことを特徴とする請求項５に記載のユーザーインターフェース表示方法。
【請求項７】
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることは、
前記スライド信号のスライド方向が下方向から右方向に変更される場合、前記第２の表示領域における前記第４のサブコンテンツを前記第１の表示コンテンツの第２のサブコンテンツに置き換えること、
又は、
前記スライド信号のスライド方向が下方向から左方向に変更される場合、前記第２の表示領域における前記第４のサブコンテンツを前記第１の表示コンテンツの第２のサブコンテンツに置き換えること、
又は、
前記スライド信号のスライド方向が上方向から右方向に変更される場合、前記第２の表示領域における前記第４のサブコンテンツを前記第１の表示コンテンツの第２のサブコンテンツに置き換えること、
又は、
前記スライド信号のスライド方向が上方向から左方向に変更される場合、前記第２の表示領域における前記第４のサブコンテンツを前記第１の表示コンテンツの第２のサブコンテンツに置き換えることを含む
ことを特徴とする請求項５に記載のユーザーインターフェース表示方法。
【請求項８】
前記第１の表示領域が前記コールアウトユーザーインターフェースの上半分の表示領域を含み、前記第１のサブコンテンツが前記第１の表示コンテンツの上半分のコンテンツを含み、前記第３のサブコンテンツが前記第２の表示コンテンツの上半分のコンテンツを含み、
前記第２の表示領域が前記コールアウトユーザーインターフェースの下半分の表示領域を含み、前記第２のサブコンテンツが前記第２の表示コンテンツの下半分のコンテンツを含み、前記第４のサブコンテンツが前記第２の表示コンテンツの下半分のコンテンツを含む
ことを特徴とする請求項２に記載のユーザーインターフェース表示方法。
【請求項９】
前記スライド信号のスライド方向が前記予め設定された方向から前記第１の方向に変更される場合、前記第１の表示領域における前記第１のサブコンテンツを前記第２の表示コンテンツの第３のサブコンテンツに置き換えることは、
前記スライド信号のスライド方向が左方向から上方向に変更される場合、前記第１の表示領域における前記第１のサブコンテンツを前記第２の表示コンテンツの第３のサブコンテンツに置き換えること、
又は、
前記スライド信号のスライド方向が左方向から下方向に変更される場合、前記第１の表示領域における前記第１のサブコンテンツを前記第２の表示コンテンツの第３のサブコンテンツに置き換えること、
又は、
前記スライド信号のスライド方向が右方向から上方向に変更される場合、前記第１の表示領域における前記第１のサブコンテンツを前記第２の表示コンテンツの第３のサブコンテンツに置き換えること、
又は、
前記スライド信号のスライド方向が右方向から下方向に変更される場合、前記第１の表示領域における前記第１のサブコンテンツを前記第２の表示コンテンツの第３のサブコンテンツに置き換えることを含む
ことを特徴とする請求項８に記載のユーザーインターフェース表示方法。
【請求項１０】
前記スライド信号のスライド方向が前記予め設定された方向から前記第２の方向に変更される場合、前記第２の表示領域における前記第４のサブコンテンツを前記第１の表示コンテンツの第２のサブコンテンツに置き換えることは、
前記スライド信号のスライド方向が左方向から下方向に変更される場合、前記第２の表示領域における前記第４のサブコンテンツを前記第１の表示コンテンツの第２のサブコンテンツに置き換えること、
又は、
前記スライド信号のスライド方向が左方向から上方向に変更される場合、前記第２の表示領域における前記第４のサブコンテンツを前記第１の表示コンテンツの第２のサブコンテンツに置き換えること、
又は、
前記スライド信号のスライド方向が右方向から下方向に変更される場合、前記第２の表示領域における前記第４のサブコンテンツを前記第１の表示コンテンツの第２のサブコンテンツに置き換えること、
又は、
前記スライド信号のスライド方向が右方向から上方向に変更される場合、前記第２の表示領域における前記第４のサブコンテンツを前記第１の表示コンテンツの第２のサブコンテンツに置き換えることを含む
ことを特徴とする請求項８に記載のユーザーインターフェース表示方法。
【請求項１１】
前記スライド信号の前記予め設定された方向へのスライドに基づいて、前記画面に前記コールアウトユーザーインターフェースが表示されることは、
前記スライド信号が予め設定された条件に合致する場合、前記スライド信号の前記予め設定された方向へのスライドに基づいて、前記画面に前記コールアウトユーザーインターフェースが表示されることを含む
ことを特徴とする請求項３に記載のユーザーインターフェース表示方法。
【請求項１２】
前記予め設定された条件は、
前記スライド信号のスライド開始点が前記画面の予め設定されたエッジに位置すること、
又は、
前記スライド信号のスライド開始点が前記画面の予め設定されたエッジに位置し、且つ、前記スライド信号のスライド距離が第１の閾値を超えること、
又は、
前記スライド信号的スライドの開始点が前記予め設定されたエッジの中央の予め設定された領域に位置すること、
又は、
前記スライド信号的スライドの開始点が前記予め設定されたエッジの中央の予め設定された領域に位置し、且つ、前記スライド信号のスライド距離が前記第１の閾値を超えることを含む
ことを特徴とする請求項１１に記載のユーザーインターフェース表示方法。
【請求項１３】
前記方法は、さらに、
前記スライド信号のスライド方向が前記予め設定された方向を保持し、且つ、前記スライド信号のスライド距離が第２の閾値を超える場合、前記第１の表示領域における前記第１のサブコンテンツを前記第２の表示コンテンツの第３のサブコンテンツに置き換え、又は、前記第２の表示領域における前記第４のサブコンテンツを前記第１の表示コンテンツの第２のサブコンテンツに置き換えることを含む
ことを特徴とする請求項２又は３に記載のユーザーインターフェース表示方法。
【請求項１４】
請求項１〜１３のいずれか１項に記載の方法のステップを実行する
ことを特徴とするユーザーインターフェース表示装置。
【請求項１５】
少なくとも１つのプログラムを記憶するコンピュータ読み取り可能な記憶媒体であって、
前記少なくとも１つのプログラムは、前記プロセッサによってロードされ実行されて、請求項１〜１３のいずれか１項に記載のユーザーインターフェース表示方法を実現する
ことを特徴とするコンピュータ読み取り可能な記憶媒体。
【国際調査報告】
2021510878.tif 000022
2021510878.tif 000023
2021510878.tif 000024
2021510878.tif 000025